(57)【要約】      （修正有）【課題】扁平状素材を裁断と折り曲げというシンプルな作業工程で製作が可能な差し込みコーナー付き収納体を提供する。【解決手段】全体形状が矩形状又は方形状をなす差し込みコーナー付き収納体Ａであって、薄厚で扁平状素材からなる基板１０、該基板１０のコーナーの一部に連結された第１及び第２の連結板１１、１２とからなり、第１及び第２の連結板１１、１２は、基板１０との連結部それぞれに刻設された折曲線を介し基板１０上に折り重ね、基板１０との連結部のそれぞれには、前記シート状製品Ｓのコーナーを固定するための差込部１１Ｓ、１２Ｓが形成されている。【選択図】図１
2015147024.tif 000002
【特許請求の範囲】
【請求項１】
全体形状が矩形状又は方形状をなしたシート状製品用の差し込みコーナー付き収納体（Ａ）であって、
薄厚で扁平状素材（Ｐ）からなる基板（１０）と、
該基板（１０）のコーナーの一部に連結された第１及び第２の連結板（１１、１２）とからなり、
前記第１及び第２の連結板（１１、１２）は、前記基板（１０）との連結部（１０ａ、１０ｂ）に刻設された折曲線（１１ａ、１０ｃ、１２ａ、１０ｄ）を介して前記基板（１０）上に折り重ね、前記基板（１０）との連結部（１０ａ、１０ｂ）のそれぞれには、前記シート状製品（Ｓ）のコーナーを固定するための差込部（１１Ｓ、１２Ｓ）が形成されている、
ことを特徴とする差し込みコーナー付き収納体（Ａ）。
【請求項２】
前記基板（１０）と前記第１及び第２の連結板（１１、１２）の表面（１０ｅ、１１ｅ、１２ｅ）又は／及び裏面（１０ｆ、１１ｆ、１２ｆ）にはシート状製品（Ｓ）と共に、前記基板（１０）と前記第１及び第２の連結板（１１、１２）間に顆粒状、紛体状、ゲル状又は固形製品である種子（Ｐｂ）等が収納可能とされていると共に、文字（Ｐｃ）又は／及び絵柄（Ｐｄ）が印刷可能とされている、
ことを特徴とする請求項１に記載の差し込みコーナー付き収納体（Ａ）。
【請求項３】
前記扁平状素材（Ｐ）が紙、硬質樹脂、木、竹、皮革又は金属である、
ことを特徴とする請求項１又は請求項２に記載の差し込みコーナー付き収納体（Ａ）。
【発明の詳細な説明】
【技術分野】
【０００１】本発明は、差し込みコーナー付き収納体に関し、より詳しくは、扁平状素材を裁断と折り曲げというシンプルな作業工程で製作が可能であり、かつ広告、販促等に好適な差し込みコーナー付き収納体に関する。
【背景技術】
【０００２】シート状製品の収納体としては、特許文献１（第１頁、図１参照）の「小型シート状製品の収納体」、また特許文献２（第１頁、図１参照）の「多機能名刺入れ」等が提案されている。しかし特許文献１及び特許文献２の構造は複雑であり、実情にそぐわないという欠点があり、市販化されていない。【０００３】  本願発明は、上記のような従来技術に鑑み、鋭意検討を重ねて本願発明を創案した。
【先行技術文献】
【特許文献】
【０００４】
【特許文献１】特開２００３−５４６６１号公報
【特許文献２】実用新案登録３１８２７２４号公報
【発明の概要】
【発明が解決しようとする課題】
【０００５】  本発明は、上記従来技術が有する不具合や欠点を解消するものであり、その課題は以下の通りである。
○本発明が解決しようとする第１課題
本発明が解決しようとする第１課題は、扁平状素材を裁断と折り曲げというシンプルな作業工程で製作が可能な差し込みコーナー付き収納体を提供することである。
○本発明が解決しようとする第２課題
本発明が解決しようとする第２課題は、シート状製品及び顆粒状、紛体状、ゲル状又は固形製品が収納可能であり、かつ、扁平状素材の余白部に文字又は／及び絵柄を印刷することにより、広告、販促等に好適な差し込みコーナー付き収納体を提供することである。
○本発明が解決しようとする第３課題
本発明が解決しようとする第３課題は、紙材はもとより、硬質樹脂等各種の素材から製作が可能な差し込みコーナー付き収納体を提供することである。
【課題を解決するための手段】
【０００６】課題を解決するための手段は、本願の［特許請求の範囲］の各請求項に記載の発明であり、その具体的な解決手段は、以下の通りである。
○第１の発明（請求項１に記載の発明）
上記の課題を解決するための第１の発明（請求項１に記載の発明）は、全体形状が矩形状又は方形状をなしたシート状製品用の差し込みコーナー付き収納体（Ａ）であって、薄厚で扁平状素材（Ｐ）からなる基板（１０）と、該基板（１０）のコーナーの一部に連結された第１及び第２の連結板（１１、１２）とからなり、前記第１及び第２の連結板（１１、１２）は、前記基板（１０）との連結部（１０ａ、１０ｂ）に刻設された折曲線（１１ａ、１０ｃ、１２ａ、１０ｄ）を介して前記基板（１０）上に折り重ね、前記基板（１０）との連結部（１０ａ、１０ｂ）のそれぞれには、前記シート状製品（Ｓ）のコーナーを固定するための差込部（１１Ｓ、１２Ｓ）が形成されている、ことを特徴としている。
○第２の発明（請求項２に記載の発明）
上記の課題を解決するための第２の発明（請求項２に記載の発明）は、前記基板（１０）と前記第１及び第２の連結板（１１、１２）の表面（１０ｅ、１１ｅ、１２ｅ）又は／及び裏面（１０ｆ、１１ｆ、１２ｆ）にはシート状製品（Ｓ）と共に、前記基板（１０）と前記第１及び第２の連結板（１１、１２）間に顆粒状、紛体状、ゲル状又は固形の製品（Ｐｂ）が収納可能とされていると共に、文字（Ｐｃ）又は／及び絵柄（Ｐｄ）が印刷可能とされている、ことを特徴としている。
○第３の発明（請求項３に記載の発明）
上記の課題を解決するための第３の発明（請求項３に記載の発明）は、前記扁平状素材（Ｐ）が、紙、硬質樹脂、木、竹、皮革又は金属である、ことを特徴としている。
【発明の効果】
【０００７】本願発明に係る、差し込みコーナー付き収納体は、上記のような特徴的構成用件から構成され、特徴的構成要件に応じた、以下のような本願発明特有の効果を奏する。また、上記の各発明に応じた、上記のような特徴的構成要件から構成された差し込みコーナー付き収納体によれば、本願発明の課題を十分に解消することができた。
○第１の発明の効果
第１の発明によれば、全体形状が矩形状又は方形状をなしたシート状製品用の差し込みコーナー付き収納体（Ａ）であって、薄厚で扁平状素材（Ｐ）からなる基板（１０）と、該基板（１０）のコーナーの一部に連結された第１及び第２の連結板（１１、１２）とからなり、前記第１及び第２の連結板（１１、１２）は、前記基板（１０）との連結部（１０ａ、１０ｂ）に刻設された折曲線（１１ａ、１０ｃ、１２ａ、１０ｄ）を介して前記基板（１０）上に折り重ね、前記基板（１０）との連結部（１０ａ、１０ｂ）のそれぞれには、前記シート状製品（Ｓ）のコーナーを固定するための差込部（１１Ｓ、１２Ｓ）が形成されている、という特徴的な構成要件により、本発明が解決しようとする、扁平状素材を裁断と折り曲げというシンプルな作業工程で製作が可能な差し込みコーナー付き収納体の提供という第１課題を達成することができ、当業者予測不可能な顕著な効果を奏することができた。
○第２の発明の効果
第２の発明によれば、前記基板（１０）と前記第１及び第２の連結板（１１、１２）の表面（１０ｅ、１１ｅ、１２ｅ）又は／及び裏面（１０ｆ、１１ｆ、１２ｆ）にはシート状製品（Ｓ）と共に、前記基板（１０）と前記第１及び第２の連結板（１１、１２）間に顆粒状、紛体状、ゲル状又は固形の製品（Ｐｂ）が収納可能とされていると共に、文字（Ｐｃ）又は／及び絵柄（Ｐｄ）が印刷されている、という特徴的な構成要件により、本発明が解決しようとする、シート状製品及び顆粒状、紛体状、ゲル状及び固形製品が収納可能であり、かつ、扁平状素材の余白部に文字又は／及び絵柄を印刷することにより、広告、販促等に好適な差し込みコーナー付き収納体の提供という第２課題を達成することができ、当業者予測不可能な顕著な効果を奏することができた。
○第３の発明の効果
第３の発明によれば、前記扁平状素材（Ｐ）が、紙、硬質樹脂、木、竹、皮革又は金属である、という特徴的な構成要件により、本発明が解決しようとする、紙材はもとより、硬質樹脂材等各種の素材から製作が可能な差し込みコーナー付き収納体の提供という第３課題を達成することができ、当業者予測不可能な顕著な効果を奏することができた。
【発明を実施するための形態】
【０００８】以下、本願発明に係る、差し込みコーナー付き収納体に関する実施形態について、図面を参照しながら説明する。
図１は、本願発明に係る、差し込みコーナー付き収納体における第１実施形態の斜視図である。
図２は、同上における扁平状素材を裁断した状態の展開図である。
図３は、図２における扁平状素材を折り曲げて差し込みコーナー付き収納体を製作する手順を説明する平面図である。
図４は、同上、差し込みコーナー付き収納体を製作する手順を説明する平面図である。
図５は、同上、差し込みコーナー付き収納体を製作する手順を説明する平面図である。
図６は、同上、差し込みコーナー付き収納体の製作完了を示す平面図である。
図７は、同上、差し込みコーナー付き収納体に顆粒状製品を取り付けた状態を示す斜視図である。
図８は、本願発明に係る、差し込みコーナー付き収納体における第２実施形態の斜視図である。
図９は、同上における扁平状素材を裁断した状態の展開図である。
図１０は、本願発明に係る、差し込みコーナー付き収納体における第３実施形態の展開図である。
図１１は、本願発明に係る、差し込みコーナー付き収納体における第４実施形態の展開図である。
【０００９】図１は、本願発明に係る、差し込みコーナー付き収納体（以下、収納体Ａという）における第１実施形態を示している。収納体（Ａ）は、図示するように、矩形状をなしており、例えば、シート状製品（Ｓ）の一種である名刺（Ｍ）の収納等に好適である。名刺（Ｍ）のコーナー（Ｍａ）と（Ｍｂ）を収納体（Ａ）の差込部（１１Ｓ）と（１２Ｓ）に差し込めば、名刺（Ｍ）は固定され、折れたり曲がったりすることがなく、名刺（Ｍ）を受け取った人には好印象を与えることができる。収納体（Ａ）は、図２に示す薄厚な扁平状素材（Ｐ）、例えば、紙材を裁断機等によって裁断される。収納体（Ａ）は、基板（１０）と第１の連結板（１１）、第２の連結板（１２）よりなり、第１の連結板（１１）は、基板（１０）のコーナーの一部（左上角部）に連結され、第２の連結板（１２）は、右下角部に連結されている。第１の連結板（１１）、第２の連結板（１２）の連結部（１０ａ、１０ｂ）には、折曲線（１１ａ、１０ｃ、１２ａ、１０ｄ）が刻設されている。Ｃ−Ｃは、基板（１０）の中心線である。
【００１０】図３〜図６は、収納体（Ａ）を製作するための手順を示している。図２に示す第１の連結板（１１）を折曲線（１１ａ）に沿って下方に折り曲げると図３のようになる。次に折り曲げた第１の連結板（１１）を折曲線（１０ｃ）に沿って基板（１０）側に折り曲げると図４のようになる。続いて、図４における、第２の連結板（１２）を折曲線（１２ａ）に沿って上方に折り曲げると図５のようになるので、さらにこれを折曲線（１０ｄ）に沿って基板（１０）側に折り曲げると図６のようになり、第１の連結板（１１）の下端縁と第２の連結板（１２）の上端縁は、Ｃ−Ｃ線で接合し、収納体（Ａ）の製作は完了する。これにより、第１の連結板（１１）の左上角部と第２の連結板（１２）の右下角部の対角線上にそれぞれ、差込部（１１Ｓ、１２Ｓ）が形成される。
【００１１】収納体（Ａ）は、上述した名刺（Ｍ）やカード類のようなシート状製品（Ｓ）収納の他、図７に示すように、メッセージ（Ｍｅ）を記載したプレゼント用品、例えば、顆粒状又は粉末状の芳香剤（ＥＴ）や、比較的薄厚な固形状の趣味・嗜好品（例えば、ガム、チョコレート等）を装着し、そのままプレゼントするか、又は芳香剤（ＥＴ）等の上面に名刺（Ｍ）等を載置し、そのコーナー（Ｍａ、Ｍｂ）を差込部（１１Ｓ、１２Ｓ）に差し込んで固定してプレゼントすることができる。また基板（１０）と第１及び第２の連結板（１１、１２）の表面（１０ｅ、１１ｅ、１２ｅ）又は／及び裏面（１０ｆ、１１ｆ、１２ｆ）には、文字（Ｐｃ）又は／及び絵柄（Ｐｄ）を印刷することができるので販促等にも効果的である。なお、芳香剤（ＥＴ）等は、通気可能素材、例えば、微細孔を設けた紙材又は軟質樹脂フィルム等からなる袋体（ＥＴｆ）等に充填されている。
【００１２】図８に示すのは、本願発明に係る、差し込みコーナー付き収納体（以下、収納体Ｂという）における第２の実施形態を示している。収納体（Ｂ）は、図示するように、方形状をなしており、図９に示す薄厚な扁平状素材（Ｐ）、例えば、紙材を裁断機等によって裁断される。収納体（Ｂ）は、基板（２０）と第１の連結板（２１）、第２の連結板（２２）よりなり、第１の連結板（２１）は、基板（２０）のコーナーの一部（左上角部）に連結され、第２の連結板（２２）は、右下角部に連結されている。第１の連結板（２１）、第２の連結板（２２）の連結部（２０ａ、２０ｂ）には、折曲線（２１ａ、２０ｃ、２２ａ、２０ｄ）が刻設されている。Ｃ−Ｃは、基板（２０）の中心線である。収納体（Ｂ）の製作手順は、収納体（Ａ）の製作手順と同一であるから、説明は省略する。
【００１３】図１０は、本願発明に係る、差し込みコーナー付き収納体における第３実施形態であり、上述の差し込みコーナー付き収納体（Ａ）及び（Ｂ）における連結部（１０ａ、１０ｂ）の変形例であり、一方の連結部（１０ａ）は、三角形状とし、他方の連結部（１０ｂ）は、「ありがとう」のメッセージ（Ｐｃ）に対応してハート形状としている。なお連結部（１０ａ）も連結部（１０ｂ）と同様にハート形状とすることもできる。また図１１は、本願発明に係る、差し込みコーナー付き収納体における第４実施形態であり、一方の連結部（１０ａ）は、三角形状とし、他方の連結部（１０ｂ）は、草の葉とし、基板（１０）に印刷している文字「環境商品」に対応させている。なお連結部（１０ａ、１０ｂ）の形状は、上述し、また図示したものに限定するものではなく、各種の幾何図形、その他の絵柄とすることができる。
【００１４】収納体（Ａ）及び収納体（Ｂ）は、いずれも、紙、硬質樹脂、木、竹、皮革又は金属を素材として製作することができる。
【図面の簡単な説明】
【００１５】
【図１】本願発明に係る、差し込みコーナー付き収納体における第１実施形態の斜視図である。
【図２】同上における扁平状素材を裁断した状態の展開図である。
【図３】図２における扁平状素材を折り曲げて差し込みコーナー付き収納体を製作する手順を説明する平面図である。
【図４】同上、差し込みコーナー付き収納体を製作する手順を説明する平面図である。
【図５】同上、差し込みコーナー付き収納体を製作する手順を説明する平面図である。
【図６】同上、差し込みコーナー付き収納体の製作完了を示す平面図である。
【図７】同上、差し込みコーナー付き収納体に顆粒状製品を取り付けた状態を示す斜視図である。
【図８】本願発明に係る、差し込みコーナー付き収納体における第２実施形態の斜視図である。
【図９】同上における扁平状素材を裁断した状態の展開図である。
【図１０】本願発明に係る、差し込みコーナー付き収納体における第３実施形態の展開図である。
【図１１】本願発明に係る、差し込みコーナー付き収納体における第４実施形態の展開図である。
【符号の説明】
【００１６】Ａ、Ｂ…差し込みコーナー付き収納体、Ｐ…扁平状素材、Ｓ…シート状製品、１０…基板、１１、１２…連結板、１０ａ、１０ｂ…連結部、１１ａ、１０ｃ、１２ａ、１０ｄ…折曲線、１１Ｓ、１２Ｓ…差込部、ＥＴ…芳香剤、ＥＴｆ…袋体、Ｐｂ…製品、Ｐｃ…文字、Ｐｃ…絵柄
【図１】
2015147024.tif 000003
【図２】
2015147024.tif 000004
【図３】
2015147024.tif 000005
【図４】
2015147024.tif 000006
【図５】
2015147024.tif 000007
【図６】
2015147024.tif 000008
【図７】
2015147024.tif 000009
【図８】
2015147024.tif 000010
【図９】
2015147024.tif 000011
【図１０】
2015147024.tif 000012
【図１１】
2015147024.tif 000013